(57)【要約】いずれの先行技術文献においても、ユーザが感じる画質の劣化を低減した映像情報の伝送については考慮されていない。映像情報を映像受信装置へ送信する映像送信装置において、映像情報を圧縮する圧縮部と、圧縮部で圧縮した映像情報を送信する送信部と、を有し、映像受信装置における映像情報の表示状態に基づいて、圧縮部及び送信部を制御することを特徴とする。
2013076778.tif 000002
【特許請求の範囲】
【請求項１】
映像情報を映像受信装置へ送信する映像送信装置であって、
前記映像受信装置における映像情報の表示状態に基づいて、映像情報の送信を制御することを特徴とする映像送信装置。
【請求項２】
映像情報を映像受信装置へ送信する映像送信装置であって、
映像情報を圧縮する圧縮部と、
圧縮部で圧縮した映像情報を送信する送信部と、を有し、
前記映像受信装置における映像情報の表示状態に基づいて、前記圧縮部及び前記送信部を制御することを特徴とする映像送信装置。
【請求項３】
請求項２の映像送信装置であって、
前記送信部は複数の映像情報を送信し、
前記映像受信装置における前記複数の映像情報毎の表示状態に基づいて、前記圧縮部及び前記送信部を制御することを特徴とする映像送信装置。
【請求項４】
請求項２または３の映像送信装置であって、
前記映像受信装置において表示されていない映像情報は、前記送信部から送信しないことを特徴とする映像送信装置。
【請求項５】
請求項３の映像送信装置であって、
前記送信部から送信した複数の映像情報の前記映像受信装置における表示レイヤーに基づいて前記圧縮部及び前記送信部を制御することを特徴とする映像送信装置。
【請求項６】
請求項５の映像送信装置であって、
前記送信部から送信した複数の映像情報のうち、前記映像受信装置において他の映像情報の背面に配置され前記映像受信装置に表示されない映像情報の送信を停止することを特徴とする映像送信装置。
【請求項７】
請求項２〜６のいずれかの映像送信装置であって、
前記映像受信装置が有する当該映像受信装置に関する情報を読み取る読み取り部を有し、
前記読み取り部で読み取った前記映像受信装置に関する情報に基づいて、当該映像受信装置の表示状態を判別することを特徴とする映像送信装置。
【請求項８】
請求項２〜６のいずれかの映像送信装置であって、
前記映像受信装置と双方向通信を行う通信部を有し、
前記通信部を介した前記映像受信装置との通信に基づいて、当該映像受信装置の表示状態を判別することを特徴とする映像送信装置。
【請求項９】
映像送信装置から送信された映像情報を受信する映像受信装置であって、
前記映像送信装置から送信された映像情報の表示状態を前記映像送信装置へ伝えることを特徴とする映像受信装置。
【請求項１０】
映像送信装置から送信された映像情報を受信する映像受信装置であって、
映像情報を受信する受信部と、
前記受信部で受信した映像情報を処理する処理部と、
前記処理部で処理された映像情報を表示する表示部と、を有し、
前記表示部における映像情報の表示状態を前記映像送信装置へ伝えることを特徴とする映像受信装置。
【請求項１１】
請求項１０の映像受信装置であって、
前記受信部は複数の映像情報を受信し、
前記表示部は複数の映像情報を表示し、
前記表示部における複数の映像情報の表示状態を前記映像送信装置へ伝えることを特徴とする映像受信装置。
【請求項１２】
請求項１０または１１の映像受信装置であって、
当該映像受信装置に関する情報を保持するメモリ部を有し、
前記メモリ部に保持された前記映像受信装置に関する情報は、前記表示部における映像情報の表示状態を示す情報を含むことを特徴とする映像受信装置。
【請求項１３】
請求項１０または１１の映像受信装置であって、
前記映像送信装置と双方向通信を行う通信部を有し、
前記通信部を介した前記送信装置との通信により、前記表示部における映像情報の表示状態を前記映像送信装置へ伝えることを特徴とする映像受信装置。
【請求項１４】
請求項１１の映像受信装置であって、
前記表示部は複数の映像情報を複数のレイヤーにわけて表示し、
前記表示部における複数の映像情報の表示レイヤーを前記映像送信装置へ伝えることを特徴とする映像受信装置。
【請求項１５】
請求項１４の映像受信装置であって、
当該映像受信装置に関する情報を保持するメモリ部を有し、
前記メモリ部に保持された前記映像受信装置に関する情報は、前記表示部における複数の映像情報の表示レイヤーを示す情報を含むことを特徴とする映像受信装置。
【請求項１６】
請求項１４の映像受信装置であって、
前記映像送信装置と双方向通信を行う通信部を有し、
前記通信部を介した前記送信装置との通信により、前記表示部における複数の映像情報の表示レイヤーを前記映像送信装置へ伝えることを特徴とする映像受信装置。
【請求項１７】
映像情報を映像送信装置から映像受信装置へ送信する映像送信方法であって、
前記映像受信装置における映像情報の表示状態に基づいて、映像情報の送信を制御することを特徴とする映像送信方法。
【請求項１８】
映像情報を映像送信装置から映像受信装置へ送信する映像送信方法であって、
映像情報を圧縮するステップと、
圧縮した映像情報を送信するステップと、を有し、
前記映像受信装置における映像情報の表示状態に基づいて、映像情報の圧縮及び映像情報の送信を制御することを特徴とする映像送信方法。
【請求項１９】
映像送信装置から送信された映像情報を映像受信装置で受信する映像受信方法であって、
前記映像送信装置から送信された映像情報の前記映像受信装置における表示状態を前記映像送信装置へ伝えることを特徴とする映像受信方法。
【請求項２０】
映像送信装置から送信された映像情報を映像受信装置で受信する映像受信方法であって、
映像情報を受信するステップと、
前記受信部で受信した映像情報を処理するステップと、
前記処理部で処理された映像情報を表示するステップと、を有し、
前記映像情報の表示における映像情報の表示状態を前記映像送信装置へ伝えることを特徴とする映像受信方法。
【発明の詳細な説明】
【技術分野】
【０００１】
技術分野は、映像情報の送受信に関する。
【背景技術】
【０００２】
上記技術分野において、特許文献１には、「伝送路の伝送ビットレート内で、所望のビットレートの映像信号を良好に送信可能とすること」（特許文献１［０００９］参照）等を課題とし、その解決手段として「送信すべき非圧縮映像信号を出力する映像信号出力部と、受信装置から伝送路を介して該受信装置が対応可能な圧縮方式を示す情報を取得する圧縮方式情報取得部と、上記映像信号出力部から出力される非圧縮映像信号に対して、上記圧縮方式情報取得部で取得された圧縮方式情報により示される圧縮方式に対応した圧縮方式で圧縮処理を施して圧縮映像信号を出力する映像信号圧縮部と、上記映像信号出力部から出力される非圧縮映像信号または上記映像信号圧縮部から出力される圧縮映像信号を選択する映像信号選択部と、上記映像信号選択部で選択された映像信号を有線または無線の伝送路を介して受信装置に送信する映像信号送信部と、上記映像信号圧縮部および上記映像信号選択部の動作を制御する送信制御部と、上記送信制御部による上記映像信号圧縮部および上記映像信号選択部の制御情報を、上記伝送路を介して上記受信装置に供給する圧縮情報供給部とを備える」（特許文献１［００１０］）ことが記載されている。【０００３】
また、特許文献２には、「消費電力を低減した画像処理方法及び画像処理装置を提供すること」（特許文献２［０００７］参照）を課題とし、その解決手段として「デジタル画像データを連続した伝送クロックにあわせて、第１の画像処理部から第２の画像処理部に伝送する画像処理方法において、該第１の画像処理部で該デジタル画像データを圧縮し、該第２の画像処理部で該圧縮したデジタル画像データを伸張し、該第１の画像処理部で該デジタル画像データを圧縮したことにより生じるデジタル画像データを伝送する必要がない期間は、該伝送クロックを停止させ、間欠的にデジタル画像データを伝送する」（特許文献１特許請求の範囲参照）ことが記載されている。
【先行技術文献】
【特許文献】
【０００４】
【特許文献１】特開2009-213110
【特許文献２】特開2010-130391
【発明の概要】
【発明が解決しようとする課題】
【０００５】
しかし、いずれの先行技術文献においても、ユーザが感じる画質の劣化を低減した映像情報の伝送については考慮されていない。
【課題を解決するための手段】
【０００６】
上記課題を解決するために、例えば特許請求の範囲に記載の構成を採用する。
本願は上記課題を解決する手段を複数含んでいるが、その一例を挙げるならば、映像情報を映像受信装置へ送信する映像送信装置において、映像情報を圧縮する圧縮部と、圧縮部で圧縮した映像情報を送信する送信部と、を有し、映像受信装置における映像情報の表示状態に基づいて、圧縮部及び送信部を制御することを特徴とする。
【発明の効果】
【０００７】
上記手段によれば、ユーザが感じる画質の劣化を低減した映像情報の伝送が可能となる。
【図面の簡単な説明】
【０００８】
【図１】映像送信装置の構成を示す図である。
【図２】映像受信装置の構成を示す図である。
【図３】映像表示部における全画面の表示状態を示す図である。
【図４】映像表示部における子画面の表示状態を示す図である。
【図５】映像表示部における子画面の表示状態を示す図である。
【図６】映像表示部において子画面が隠れている表示状態を示す図である。
【図７】Ｅ−ＥＤＩＤにおいてVendorSpecificDataBlockでのマルチチャンネル表示状態の提示例である。
【図８】映像表示部における全画面の表示状態を示す図である。
【図９】映像表示部における子画面の表示状態を示す図である。
【図１０】映像表示部における子画面の表示状態を示す図である。
【図１１】Ｅ−ＥＤＩＤにおいてVendorSpecificDataBlockでのマルチチャンネル表示状態の提示例である。
【発明を実施するための形態】
【実施例１】
【０００９】
図１は、本実施例における映像送信装置の構成を示す図である。１００は映像送信装置、１０１はチューナー、１０２はＤｅｍｕｘ部、１０３は音声デコーダ部、１０５はＥｔｈｅｒｎｅｔ  Ｉ／Ｆ部、１０６はメモリ、１０７はストレージ部、１０８はＲｅｍｕｘ部、１０９はトランスコーダ部、１１０は音声処理部、１１１は映像処理部、１１２は圧縮部、１１３はＨＤＭＩ送信部、１１４は制御部、１１５はＨＤＭＩ送信部からＨＤＭＩ受信機に送られる伝送路である。【００１０】
チューナー１０１は放送信号を受信し圧縮されたデジタル信号に変調を行う。Ｄｅｍｕｘ部１０２はチューナー１０１またはメモリ１０６から入力したデジタル信号を映像信号、音声信号に分離する。音声デコーダ１０３と映像デコーダ１０４はＤｅｍｕｘ部１０２で分離された映像、音声のデコードを行い映像、音声データを原信号に復号する。またＥｔｈｅｒｎｅｔＩ／Ｆ１０５は外部機器からイーサネットで映像及び音声を受信する。なお、「イーサネット」及び「Ｅｔｈｅｒｎｅｔ」は登録商標である。【００１１】
メモリ１０６はＥｔｈｅｒｎｅｔＩ／Ｆ１０５から受信したデータ、またはストレージ部１０７から読み出した映像及び音声データを格納するためのメモリである。Ｒｅｍｕｘ部１０８は、Ｄｅｍｕｘ部１０２で分離された映像信号、音声信号を、ストリームデータとして再構成する。トランスコーダ１０９は入力された映像を再圧縮し圧縮率を変換する機能を有する。音声処理部１１０は音声デコーダから入力された音声信号を映像信号に合わせて出力する制御等を行う。映像処理部１１１は映像デコーダから入力された映像信号を任意のサイズにスケーリングする機能を有し、また色差信号に関してＹＣｂＣｒ４：４：４形式からＹＣｂＣｒ４：２：２または、ＹＣｂＣｒ４：２：０形式に変換する機能等も有している。【００１２】
圧縮部１１２は映像処理部１１１から入力される映像信号を圧縮する。【００１３】
ＨＤＭＩ送信部１１３は、圧縮部１１２と音声処理部１１０から入力された映像、音声信号をＨＤＭＩ信号に変換して送信する。またトランスコーダ１０９から入力されたストリーム信号及びＤｅｍｕｘ部１０２からデコード前の圧縮状態の音声信号を送信することも出来る。制御部１１４は上記のチューナー１０１からＨＤＭＩ送信部１１３までの各部を制御する。なお、本実施例では圧縮部１１２から入力された映像信号をＨＤＭＩ送信部１１３から出力するが、圧縮部１１２で圧縮を行わず、非圧縮の映像信号をＨＤＭＩ送信部１１３から出力することも可能である。【００１４】
図２は、本実施例における映像受信装置の構成を示す図である。２００は映像受信装置、２０１はＨＤＭＩ受信部、２０２はＥ−ＥＤＩＤ格納部、２０３はチューナー、２０４はＤｅｍｕｘ部、２０５はＥｔｈｅｒｎｅｔ  Ｉ／Ｆ部、２０６はメモリ、２０７は映像デコーダ、２０８は映像処理部、２０９は映像出力部、２１０は音声デコーダ、２１１は音声処理部、２１２は音声出力部、２１３はストレージ部、２１４は上記ＨＤＭＩ受信部２０１からストレージ部２１３を制御するための制御部である。２１５はＨＤＭＩ送信部からＨＤＭＩ受信機に送られる伝送路である。【００１５】
ＨＤＭＩ受信部２０１は映像送信装置からのＨＤＭＩ信号を受信し、映像処理部２０８と音声処理部２１１へ出力する。ここでＥ−ＥＤＩＤ格納部２０２からデータを読み出し、ＤＤＣラインを通じてＥ−ＥＤＩＤデータを読み出した結果をＨＤＭＩ信号送信機に対して映像受信機器側のＥ−ＥＤＩＤ情報を知らせることが出来る。【００１６】
チューナー２０３は放送信号を受信、復調し、圧縮されたデジタル信号を得る。Ｄｅｍｕｘ部２０４はチューナー２０３またはメモリ２０６から入力したデジタル信号を映像信号、音声信号に分離する。音声デコーダ２１０と映像デコーダ２０７はＤｅｍｕｘ部２０４で分離された映像、音声のデコードを行う。またＥｔｈｅｒｎｅｔＩ／Ｆ２０５は外部機器からイーサネット回線を介して映像及び音声を受信する。なお、「イーサネット」及び「Ｅｔｈｅｒｎｅｔ」は登録商標である。【００１７】
メモリ２０６はＥｔｈｅｒｎｅｔＩ／Ｆ２０５から受信したデータ、またはストレージ部２１３から読み出した映像及び音声データを格納するためのメモリである。音声処理部２１０は音声デコーダから入力された音声信号、もしくはＨＤＭＩ受信部２０１から入力された音声信号を、映像信号に合わせて出力する制御等を行う。映像処理部２０８は映像デコーダから入力された映像信号、もしくはＨＤＭＩ受信部２０１から入力された映像信号を任意のサイズにスケーリングする機能を有しＲＧＢ画素に変換する機能も有している。また、映像デコーダ、ＨＤＭＩ受信部から入力された２つの映像の重ね合わせる処理や並列表示させる処理も可能である。【００１８】
映像出力部２０９は映像処理部２０８で合成された映像を表示するパネル等の表示デバイスである。
音声出力部２１２は音声処理部２１１で処理された音声を出力するスピーカー等である。制御部２１４は上記のチューナー２００からストレージ部２１３までの各部を制御する。【００１９】
図３は映像出力部２０９で表示される映像表示の一例を示したものである。３００は表示デバイスそのものを示しており、３０１は表示デバイスに表示される表示情報を示す。図３は、表示デバイスの全画面に一枚の映像を表示した例である。映像デバイスが4k×2kのような高精細の映像を表示可能である場合は、極力画質を劣化させるような圧縮、減色処理を行うべきではない。【００２０】
しかしながら、マルチチャンネル伝送等、複数の映像信号を伝送する場合においては、ユースケースとして図４の４００に示すような子画面の表示を行うことが考えられる。この場合は必要に応じて圧縮や画素数の間引きによって伝送量を落としてもよい。【００２１】
また、図６の６０１の様に、複数の映像信号が伝送されているが、当該複数の映像信号のうち一部の映像信号の表示を行っていない場合、表示されない映像信号の伝送を止めることで伝送帯域を節約することが出来る。【００２２】
伝送されているが表示されていない映像信号があるかどうかを映像送信装置１００で判断する方法として、例えば、映像出力部２０９の表示状態としてＥ−ＥＤＩＤ格納部２０２にマルチチャンネル表示状態を拡張することが考えられる。これにより、ＨＤＭＩ受信部２０１、ＨＤＭＩ送信部１１３を経由して映像送信装置１００の制御部１１４が送出先の映像受信装置の表示状態を知ることが出来る。【００２３】
図７はマルチチャンネル情報のＥ−ＥＤＩＤを拡張する場合の拡張例である。【００２４】
Multi_Channel_LENはその後に続くマルチチャンネル情報のサイズ(Ｂｙｔｅ)である。１チャンネルあたり以下の情報には以下のデータを有する。【００２５】
Multi_Channel_Display_Horizontal_Size_X(lower 8bit)は現在表示中の水平画素数の下位8Bitである。【００２６】
Multi_Channel_Display_Vertical_Size_X(lower 8bit)は現在表示中の垂直画素数の下位8Bitである。【００２７】
Multi_Channel_Display_Horizontal_Size_X(upper 4bit)は現在表示中の水平画素数の上位4Bitである。【００２８】
Multi_Channel_Display_Vertical_Size_X(upper 8bit)は現在表示中の垂直画素数の上位4Bitである。【００２９】
Display_Enable_Xはこのチャンネルが表示している状態かそうでないかを表している。【００３０】
制御部１１４は、例えば送出中チャンネルの映像表示状態が図３の３０１のような場合には、Ｖ方向の画素の相関が高いためＹＣｂＣｒ４：４：４のまま、圧縮部１１２で可逆圧縮であるライン単位の圧縮のみ(例えばＲＬＥ方式、ＺＩＰ方式)とし完全に画質が復元できる範囲の圧縮方式に抑えて伝送することができる。【００３１】
一方図４の４０１のように水平方向の表示サイズが送出信号フォーマットの半分以下になるようなケースでは、映像処理部１１１でＹＣｂＣｒ４：２：２へ色差信号を間引くことで圧縮以外にも伝送量を下げることが可能である。【００３２】
さらに、図５の５０１の様に水平／垂直共に十分小さいサイズの子画面において、原画像を認識することが不可能な場合は映像処理部１１１でＹＣｂＣｒ４：２：０まで間引き、またトランスコーダ１０９を使用して不可逆圧縮方式(例えばＭＰＥＧ２／Ｈ．２６４)で圧縮することも可能である。【００３３】
また、図６の６０１の様に全てのマルチチャンネルが表示されているとは限らず、一部のチャンネルが表示されていない場合もあるため、Ｅ−ＥＤＩＤに表示有無を記載するフラグを追加し、非表示時は伝送自体を行わないという制御も可能である。【００３４】
上記の説明では映像の表示状態を判別する手段としてＥ−ＥＤＩＤを使用する例を説明したが、Ｅ−ＥＤＩＤの代わりに、ＣＥＣによる表示状態通信やＥｔｈｅｒｎｅｔＩ／Ｆ１０５及び２０５による表示状態通信等の双方向通信機能を利用し、映像受信装置２００における表示状態を映像送信装置１００に伝えることが可能である。また、その他の方法により映像受信装置２００における表示状態を映像送信装置１００に伝えてもよい。
【実施例２】
【００３５】
実施例１では、映像受信装置２００における表示状態に基づいて映像送信装置１００から送信する映像信号の圧縮の要否や圧縮方法の変更を制御する例を説明したが、映像受信装置２００のスペック（表示デバイスの大きさ、解像度等）に基づいて送信する映像信号の圧縮の要否や圧縮方法の変更を制御してもよい。【００３６】
例えば、映像送信装置１００が送信する映像信号の解像度と映像受信装置２００の解像度とを比較し、映像受信装置２００の解像度が送信される映像信号の解像度を下回る場合、映像送信装置１００は映像受信装置２００の解像度に合わせて送信する映像信号を圧縮することが可能である。【００３７】
映像送信装置１００が映像受信装置２００の解像度を判断する方法としては、実施例１で説明したＥ−ＥＤＩＤを用いる方法、ＣＥＣによる通信やＥｔｈｅｒｎｅｔＩ／Ｆ１０５及び２０５による通信を用いる方法が考えられるが、他の方法を用いてもよい。
【実施例３】
【００３８】
映像送信装置１００において、送信する情報の種類を判別可能な場合、送信する情報の種類に基づいて送信する情報の圧縮の要否や圧縮方法の変更を制御してもよい。【００３９】
例えば、送信する情報がテキストのデータであれば可逆圧縮でも高い圧縮率となるため、可逆圧縮を選択することが考えられる。また、ライブ放送やスポーツの場合は画像が荒いことが想定されるため、非可逆圧縮を選択することが考えられる。また、映画の場合は作りこまれた映像であるため可逆圧縮を選択することが考えられる。【００４０】
映像送信装置において送信する情報の種類を判別する方法としては、例えば送信する情報に付加されているメタ情報を参照することが考えられるが、他の方法を用いてもよい。
【実施例４】
【００４１】
実施例４においては、複数の映像信号を複数のレイヤーに配置する場合に、その配置に基づいて映像送信装置１００における圧縮処理を制御する方法について説明する。【００４２】
図８は、映像出力部２０９で表示される映像であって、親画面と子画面とを同時に表示している例を示している。図８においては、子画面が親画面よりも手前のレイヤーに配置されている状態を示している。【００４３】
図９は、図８の状態から表示レイヤーが切り替わり、親画面が手前に表示され、子画面が隠れている状態を表している。【００４４】
ここで、映像受信装置２００における複数の映像信号の表示レイヤーの状態を映像送信装置１００にＥ−ＥＤＩＤを用いて伝える方法を説明する。映像出力部２０９の表示状態としてＥ−ＥＤＩＤ格納部２０２にマルチチャンネル表示状態を拡張することで、ＨＤＭＩ受信部２０１、ＨＤＭＩ送信部１１３を経由して映像送信装置１００の制御部１１４が送出先の映像受信装置の表示状態を知ることが出来る。【００４５】
図１１はマルチチャンネル情報のＥ−ＥＤＩＤを拡張する場合の拡張例である。【００４６】
Multi_Channel_LENはその後に続くマルチチャンネル情報のサイズ(Ｂｙｔｅ)である。１チャンネルあたり画像位置情報として以下のデータを有する。【００４７】
Multi_Channel_Display_Horizontal_Postion_X(lower 8bit)は現在表示中の水平表示開始位置の下位8Bitである。【００４８】
Multi_Channel_Display_Vertical_Position_X(lower 8bit)は現在表示中の垂直表示開始位置の下位8Bitである。【００４９】
Multi_Channel_Display_Horizontal_Size_X(lower 8bit)は現在表示中の水平画素数の下位8Bitである。【００５０】
Multi_Channel_Display_Vertical_Size_X(lower 8bit)は現在表示中の垂直画素数の下位8Bitである。【００５１】
Multi_Channel_Display_Horizontal_Position_X(upper 4bit)は現在表示中の水平表示開始位置の上位4Bitである。【００５２】
Multi_Channel_Display_Vertical_Position_X(upper 4bit)は現在表示中の垂直表示開始位置の上位4Bitである。【００５３】
Multi_Channel_Display_Horizontal_Size_X(upper 4bit)は現在表示中の水平画素数の上位4Bitである。【００５４】
Multi_Channel_Display_Vertical_Size_X(upper 4bit)は現在表示中の垂直画素数の上位4Bitである。【００５５】
Display_Layer_Xはこのチャンネルの表示レイヤーを表しており、0の場合は非表示であり、1以上の場合は数字が小さいほど前面に表示されていることを表す。【００５６】
映像送信装置１００の制御部１１４は、例えば送出中チャンネルの映像表示状態が図８の８０１のように子画面が表示されている状態から、図９のように子画面が隠れた場合において、Display_Layer_X、もしくは前記、画像位置情報から画像の重なりを計算し完全に子画面側が隠れている場合には、映像送信装置１００の制御部１１４で映像処理部１１１を制御し、送出を止め帯域を節約することが出来る。【００５７】
また、子画面が隠れた場合でも送出を止めず、所定の圧縮率で映像送信装置１００個画面の映像信号の送信を続けることも考えられる。例えば、表示レイヤーが切り替わり、隠れた子画面が再度表示される場合には、映像受信装置２００における画像位置情報の書き換え後に送出側で子画面の映像信号を再度送出しなければならないが、画像位置情報から得られる子画面の表示サイズに適した圧縮率で子画面が隠れているときも映像送信装置１００が子画面の映像信号を伝送しておけば、レイヤー切り替え時の動作を高速に行いかつ伝送量を抑えることも出来る。【００５８】
同様に、図１０で示す表示例のように子画面が１０００から１００１へ遷移し、子画面の位置やサイズが変化する場合にも、Display_Layer_Xと前記画像位置情報から、子画面表示状態にある場合には、子画面側の伝送を映像送信装置１００で継続し、子画面の位置やサイズをより高速に切り替えできるよう制御することが可能である。【００５９】
また、Display_Layer_Xと前記画像位置情報から子画面が非表示の状態にある場合でも、状態遷移後一定時間tは子画面も伝送するようにしておき、一定時間ｔ経過後も子画面が非表示の状態であった場合に伝送止めるようにすることで、伝送帯域の制限と、表示切替の利便性を両立する制御も可能である。【００６０】
なお、本実施例ではＥ−ＥＤＩＤを用いて映像受信装置２００における映像情報の表示レイヤーを映像送信装置１００へ伝える例を説明したが、他の方法を用いて映像受信装置２００における映像情報の表示レイヤーを映像送信装置１００へ伝えてもよい。例えば、ＣＥＣによる通信やＥｔｈｅｒｎｅｔＩ／Ｆ１０５及び２０５による通信等の双方向通信機能を利用し、映像受信装置２００における映像情報の表示レイヤーを映像送信装置１００へ伝えてもよい。【００６１】
このように、上記で説明した各実施例によれば、映像送信装置から複数の映像信号を映像受信装置へ伝送する場合であっても、ユーザが感じる画質の劣化を低減することが可能となる。そして、4k×2k等の高帯域信号の伝送をHDMI1.4相当の従来の物理層上で行っても、ユーザが感じる画質の劣化を低減しつつ複数チャンネルを同時に伝送することが可能となる。
【符号の説明】
【００６２】
１００  映像送信装置
１０１  チューナー
１０２  Ｄｅｍｕｘ部
１０３  音声デコーダ
１０４  映像デコーダ
１０５  Ｅｔｈｅｒｎｅｔ  Ｉ／Ｆ
１０６  メモリ
１０７  ストレージ部
１０８  Ｒｅｍｕｘ部
１０９  トランスコーダ
１１０  音声処理部
１１１  映像処理部
１１２  圧縮部
１１３  ＨＤＭＩ送信部
１１４  制御部
１１５  ＨＤＭＩ伝送路
２００  映像受信装置
２０１  ＨＤＭＩ受信部
２０２  Ｅ−ＥＤＩＤ格納部
２０３  チューナー
２０４  Ｄｅｍｕｘ部
２０５  Ｅｔｈｅｒｎｅｔ  Ｉ／Ｆ
２０６  メモリ
２０７  映像デコーダ
２０８  映像処理部
２０９  映像出力部
２１０  音声デコーダ
２１１  音声処理部
２１２  音声出力部
２１３  ストレージ部
２１４  制御部
２１５  ＨＤＭＩ伝送路
３００  全画面表示状態の映像表示部
３０１  全画面表示状態
４０１  子画面表示状態
５０１  子画面表示状態
６０１  非表示の子画面表示
８００  子画面表示状態の映像表示部
８０１  子画面
９０１  非表示状態の子画面
１０００  子画面
１００１  子画面
【図１】
2013076778.tif 000003
【図２】
2013076778.tif 000004
【図３】
2013076778.tif 000005
【図４】
2013076778.tif 000006
【図５】
2013076778.tif 000007
【図６】
2013076778.tif 000008
【図７】
2013076778.tif 000009
【図８】
2013076778.tif 000010
【図９】
2013076778.tif 000011
【図１０】
2013076778.tif 000012
【図１１】
2013076778.tif 000013
【国際調査報告】
2013076778.tif 000014
2013076778.tif 000015
2013076778.tif 000016
2013076778.tif 000017
2013076778.tif 000018
2013076778.tif 000019